(57)【要約】【課題】テレビ視聴中に複数の放送エリアを移動する場合、または設定されたチャネルリストのエリアと異なるエリアでテレビを視聴しようとした場合に、自動でチャネルリストを切り替えること。【解決手段】エリア／チャネルリスト記憶部１０４は、複数の異なる周波数のデジタルラジオのチャネルと、複数の異なるワンセグエリアと、ワンセグエリアよりも狭い複数の異なるデジタルラジオエリアとをそれぞれ対応付けたテーブルを記憶する。チャネルサーチ実施部１０１は、デジタルラジオのチャネルサーチを実施する。チャネル情報検出部３０６は、デジタルラジオのチャネルを検出する。エリア／チャネルリスト判定部１０３は、検出したデジタルラジオのチャネルに対応するワンセグエリアをテーブルより検出する。チャネルリスト設定部１０２は、検出したワンセグエリアに基づいてワンセグのチャネルリストを設定する。【選択図】図１
2011176437.tif 000002
【特許請求の範囲】
【請求項１】
複数の異なる周波数の第１のチャネルを用いる第１の放送サービスの無線信号を受信する第１の無線手段と、
複数の異なる周波数の第２のチャネルを用いる第２の放送サービスの無線信号を受信する第２の無線手段と、
前記第１の無線手段により受信した無線信号から受信品質を求める受信状態判定手段と、
複数の前記第２のチャネルと、前記第１の放送サービスの複数の異なる第１の受信エリアと、前記第２の放送サービスの前記第１の受信エリアよりも狭い複数の異なる第２の受信エリアとをそれぞれ対応付けたテーブルを記憶する記憶手段と、
前記受信品質に応じて前記第２の無線手段にチャネルサーチを実施させる実施手段と、
前記チャネルサーチの実施により前記第２の無線手段において受信した無線信号より、前記第２のチャネルを検出する第２のチャネル検出手段と、
前記第２のチャネル検出手段において検出した前記第２のチャネルに対応する前記第１の受信エリアを前記テーブルより検出する判定手段と、
前記判定手段により検出した前記第１の受信エリアに基づいて前記第１の放送サービスのチャネルリストを設定する設定手段と、
を具備する放送受信装置。
【請求項２】
前記実施手段は、前記第１の無線手段により前記第１の放送サービスの無線信号を受信中に、前記チャネルサーチの指示を受けた場合、前記チャネルサーチを実施させる請求項１記載の放送受信装置。
【請求項３】
前記実施手段は、所定の時間以上継続して前記受信品質が閾値以下になった場合、前記チャネルサーチを実施させる請求項１記載の放送受信装置。
【請求項４】
前記第１の無線手段により受信した無線信号より前記第１のチャネルを検出する第１のチャネル検出手段をさらに具備し、
前記記憶手段は、複数の前記第１の受信エリアと複数の前記第１のチャネルとをそれぞれ対応付けた前記テーブルを記憶し、
前記実施手段は、前記第２のチャネル検出手段において前記第２のチャネルを検出できない場合は、前記第１の無線手段にチャネルサーチを実施させ、
前記判定手段は、前記第１の無線手段におけるチャネルサーチにより受信した無線信号より、前記第１のチャネル検出手段において検出した前記第１のチャネルに対応する前記第１の受信エリアを前記テーブルより検出する請求項１記載の放送受信装置。
【請求項５】
前記第１の無線手段により受信した無線信号より前記第１のチャネルを検出する第１のチャネル検出手段をさらに具備し、
前記記憶手段は、複数の前記第１の受信エリアと複数の前記第１のチャネルとをそれぞれ対応付けた前記テーブルを記憶し、
前記実施手段は、前記判定手段により複数の前記第１の受信エリアを前記テーブルより検出した場合、検出した複数の前記第１の受信エリアと前記テーブルにおいて対応付けられている前記第１のチャネルのチャネルサーチを前記第１の無線手段に実施させ、
前記判定手段は、前記第１の無線手段におけるチャネルサーチにより受信した無線信号より、前記第１のチャネル検出手段において検出した前記第１のチャネルに対応する前記第１の受信エリアを前記テーブルより検出する請求項１記載の放送受信装置。
【請求項６】
前記実施手段は、独立局情報を持つ前記第１のチャネルのチャネルサーチを優先的に実施する請求項５記載の放送受信装置。
【請求項７】
前記記憶手段は、複数の前記第２のチャネルと複数の前記第２の受信エリアとをそれぞれ対応付けた前記テーブルを記憶し、
前記判定手段は、前記第１の受信エリアの検出に加えて、前記第２のチャネル検出手段において検出した前記第２のチャネルに対応する前記第２の受信エリアを前記テーブルより検出し、
前記設定手段は、前記第１の放送サービスのチャネルリストの設定に加えて、前記判定手段により検出した前記第２の受信エリアに基づいて前記第２の放送サービスのチャネルリストを設定する請求項１記載の放送受信装置。
【請求項８】
前記実施手段は、前記判定手段により複数の前記第２の受信エリアを前記テーブルより検出した場合、検出した複数の前記第２の受信エリアと前記テーブルにおいて対応付けられている前記第２のチャネルのチャネルサーチを前記第２の無線手段に実施させ、
前記判定手段は、前記第２の無線手段におけるチャネルサーチにより受信した無線信号より、前記第２のチャネル検出手段において検出した前記第２のチャネルに対応する前記第２の受信エリアを前記テーブルより検出する請求項７記載の放送受信装置。
【請求項９】
前記実施手段は、独立局情報を持つ前記第２のチャネルのチャネルサーチを優先的に実施する請求項８記載の放送受信装置。
【請求項１０】
放送受信装置における放送受信方法であって、
複数の異なる周波数の第１のチャネルを用いる第１の放送サービスの無線信号を受信するステップと、
複数の異なる周波数の第２のチャネルを用いる第２の放送サービスの無線信号を受信するステップと、
受信した前記第１の放送サービスの無線信号から受信品質を求めるステップと、
複数の前記第２のチャネルと、前記第１の放送サービスの複数の異なる第１の受信エリアと、前記第２の放送サービスの前記第１の受信エリアよりも狭い複数の異なる第２の受信エリアとをそれぞれ対応付けたテーブルを記憶するステップと、
前記受信品質に基づいて前記第２のチャネルのチャネルサーチを実施するステップと、
前記チャネルサーチの実施により受信した前記第２放送サービスの無線信号より、前記第２のチャネルを検出するステップと、
検出した前記第２のチャネルに対応する前記第１の受信エリアを前記テーブルより検出するステップと、
検出した前記第１の受信エリアに基づいて前記第１の放送サービスのチャネルリストを設定するステップと、
を具備する放送受信方法。
【発明の詳細な説明】
【技術分野】
【０００１】
本発明は、特にチャネルリストを自動で変更する放送受信装置または放送受信方法に関する。
【背景技術】
【０００２】
地上デジタル放送などのテレビジョン放送を受信する際、受信地域により放送局が異なる。従って、従来、固定のテレビを設置する際は、一般的に、チャネルサーチを行って、チャネルを設定する。この際、チャネルサーチには数分程度かかる場合がある。ここで、チャネルサーチとは、全てのチャネルにおいて信号が存在するか否かを判定する処理を意味する。
【０００３】
一方、近年、地上デジタル放送対応の携帯電話機など、テレビジョン放送を受信再生する機能を搭載した携帯端末の普及が進んでいる。このような地上デジタル放送対応の携帯電話機でも、上記のチャネルサーチを実施する必要がある。
【０００４】
ところが、携帯端末は、家庭内などに固定して設置される固定のテレビ受信機と異なり、複数の放送エリアを移動しながら使用する場合がある。この場合、携帯端末に設定されているチャネルリストは、現在携帯端末が存在する放送エリアに対応したものになっているとは限らない。したがって、チャネルスキャンを実施した場合であっても、必ずしもテレビを視聴することができるとは限らないという課題がある。
【０００５】
このような課題を解決する方法は、例えば特許文献１及び特許文献２に記載されている。
【０００６】
特許文献１では、放送エリアが切り替わった場合に、ユーザによって地域番号を手動で入力して放送エリアに対応したチャネルリストに切り替える。また、特許文献１では、カーナビゲーション装置等に搭載されたＧＰＳ受信機により得られた位置情報に基づいて、現在居る放送エリアに対応したチャネルリストに切り替える。
【０００７】
また、特許文献２では、携帯電話は、選局情報と地域情報とを対応させて記憶し、チャネルスキャンにより受信可能なチャネルを１つ見つけ、見つけた１つのチャネルから取得した選局情報に基づいてチャネルリストを切り替える。
【先行技術文献】
【特許文献】
【０００８】
【特許文献１】特開２００１−１６８６８４号公報
【特許文献２】特開２００６−０１４０２５号公報
【発明の概要】
【発明が解決しようとする課題】
【０００９】
しかしながら、特許文献１においては、アンテナを含むＧＰＳ受信回路の搭載が必要となり、実装面積が増大するとともに、部品点数が増えて製造コストが増大するという問題がある。また、特許文献１においては、屋内ではＧＰＳ機能を利用することができないので、屋内ではチャネルリストを切り替えることができないという問題がある。また、特許文献２においては、選局情報から得られる地域情報が複数存在する場合、チャネルリストを特定することができないので、チャネルリストを変更することができないという問題がある。また、特許文献２においては、テレビを視聴中の場合には、チャネルサーチを実施することができないので、放送エリアが切り替わった場合にチャネルリストを切り替えることができないという問題がある。
【００１０】
本発明の目的は、テレビ視聴中に複数の放送エリアを移動する場合、または設定されたチャネルリストのエリアと異なるエリアでテレビを視聴しようとした場合に、自動でチャネルリストを切り替えることができる放送受信装置または放送受信方法を提供することである。
【課題を解決するための手段】
【００１１】
本発明の放送受信装置は、複数の異なる周波数の第１のチャネルを用いる第１の放送サービスの無線信号を受信する第１の無線手段と、複数の異なる周波数の第２のチャネルを用いる第２の放送サービスの無線信号を受信する第２の無線手段と、前記第１の無線手段により受信した無線信号から受信品質を求める受信状態判定手段と、複数の前記第２のチャネルと、前記第１の放送サービスの複数の異なる第１の受信エリアと、前記第２の放送サービスの前記第１の受信エリアよりも狭い複数の異なる第２の受信エリアとをそれぞれ対応付けたテーブルを記憶する記憶手段と、前記受信品質に応じて前記第２の無線手段にチャネルサーチを実施させる実施手段と、前記チャネルサーチの実施により前記第２の無線手段において受信した無線信号より、前記第２のチャネルを検出する第２のチャネル検出手段と、前記第２のチャネル検出手段において検出した前記第２のチャネルに対応する前記第１の受信エリアを前記テーブルより検出する判定手段と、前記判定手段により検出した前記第１の受信エリアに基づいて前記第１の放送サービスのチャネルリストを設定する設定手段と、を具備する構成を採る。
【００１２】
本発明の放送受信方法は、放送受信装置における放送受信方法であって、複数の異なる周波数の第１のチャネルを用いる第１の放送サービスの無線信号を受信するステップと、複数の異なる周波数の第２のチャネルを用いる第２の放送サービスの無線信号を受信するステップと、受信した前記第１の放送サービスの無線信号から受信品質を求めるステップと、複数の前記第２のチャネルと、前記第１の放送サービスの複数の異なる第１の受信エリアと、前記第２の放送サービスの前記第１の受信エリアよりも狭い複数の異なる第２の受信エリアとをそれぞれ対応付けたテーブルを記憶するステップと、前記受信品質に基づいて前記第２のチャネルのチャネルサーチを実施するステップと、前記チャネルサーチの実施により受信した前記第２放送サービスの無線信号より、前記第２のチャネルを検出するステップと、検出した前記第２のチャネルに対応する前記第１の受信エリアを前記テーブルより検出するステップと、検出した前記第１の受信エリアに基づいて前記第１の放送サービスのチャネルリストを設定するステップと、を具備するようにした。
【発明の効果】
【００１３】
本発明によれば、テレビ視聴中に複数の放送エリアを移動した場合、または設定されたチャネルリストのエリアと異なるエリアでテレビ視聴しようとした場合に、自動でチャネルリストを切り替えることができる。
【図面の簡単な説明】
【００１４】
【図１】本発明の実施の形態１に係る放送受信装置の構成を示すブロック図
【図２】本発明の実施の形態１に係る放送受信装置において受信可能は放送サービスを示す図
【図３】本発明の実施の形態１に係るエリア／チャネルリスト記憶部に保存されるテーブルの一例を示す図
【図４】本発明の実施の形態１に係る放送受信装置の動作を示すフロー図
【図５】本発明の実施の形態２に係る放送受信装置の動作を示すフロー図
【図６】本発明の実施の形態２に係るエリア／チャネルリスト記憶部に保存されているチャネルリストの一例を示す図
【図７】本発明の実施の形態３に係る放送受信装置の動作を示すフロー図
【発明を実施するための形態】
【００１５】
以下、本発明の各実施の形態について、図面を参照して詳細に説明する。
【００１６】
（実施の形態１）
図１は、本発明の実施の形態１に係る放送受信装置１００の構成を示すブロック図である。本実施の形態は、地上デジタル放送サービスの１つであるワンセグの受信機能と、デジタルラジオの受信機能とを備えた携帯電話機に適用した場合を一例として説明する。
【００１７】
まず、ワンセグの概略について説明する。ワンセグは、地上デジタル放送の周波数帯域を構成する１３セグメントの１セグメントを用いた放送サービスである。放送局側は、放送番組の画像データおよび音声データを、トランスポートストリーム（transport stream：ＴＳ）に多重化する。そして、トランスポートストリームは、誤り訂正符号化を含む所定のデジタル変調が行われ、デジタル変調された信号は、所望の周波数にアップコンバートされて放送局側から送出される。
【００１８】
続いてデジタルラジオの概略について説明する。デジタルラジオは、日本の地上デジタル音声放送で使用されているＩＳＤＢ−Ｔｓｂにより規格化されており、１セグメントのほか３セグメントを用いたサービスも可能である。現在、ＩＳＤＢ−Ｔｓｂにマルチメディア放送機能を付加した規格も検討されている。
【００１９】
図１において、放送受信装置１００は、チャネルサーチ実施部１０１と、チャネルリスト設定部１０２と、エリア／チャネルリスト判定部１０３と、エリア／チャネルリスト記憶部１０４と、受信装置２００と、受信装置３００とを有する。
【００２０】
また、受信装置２００は、アンテナ２０１と、ＲＦ部２０２と、復調部２０３と、復号部２０４と、受信状態判定部２０５と、チャネル情報検出部２０６と、チャネルリスト記憶部２０７とを有する。
【００２１】
また、受信装置３００は、アンテナ３０１と、ＲＦ部３０２と、復調部３０３と、復号部３０４と、受信状態判定部３０５と、チャネル情報検出部３０６と、チャネルリスト記憶部３０７とを有する。
【００２２】
以下に、各構成について、詳細に説明する。
【００２３】
チャネルサーチ実施部１０１は、受信状態判定部２０５または受信状態判定部３０５からチャネルサーチ実施の指示があった場合、ＲＦ部２０２及び復調部２０３、またはＲＦ部３０２及び復調部３０３に対しチャネルサーチの実施を指示する。また、チャネルサーチ実施部１０１は、放送受信装置１００においてワンセグを放送している最中において、チャネルサーチの指示を受けた際に、上記のチャネルサーチの実施の指示を行う。また、チャネルサーチ実施部１０１は、エリア／チャネルリスト判定部１０３の指示によりチャネルサーチの実施を中止する。
【００２４】
チャネルリスト設定部１０２は、デジタルラジオ及びワンセグの受信エリア毎のチャネルリスト情報を記憶する。また、チャネルリスト設定部１０２は、エリア／チャネルリスト判定部１０３から通知されたワンセグエリアに対応するチャネルリスト情報をチャネルリスト記憶部２０７に記憶させる。また、チャネルリスト設定部１０２は、エリア／チャネルリスト判定部１０３から通知されたデジタルラジオエリアに対応するチャネルリスト情報をチャネルリスト記憶部３０７に記憶させる。
【００２５】
エリア／チャネルリスト判定部１０３は、チャネル情報検出部２０６またはチャネル情報検出部３０６により検出されたチャネル情報と、エリア／チャネルリスト記憶部１０４に保存されているテーブルとを参照し、現在のエリアを判定する。そして、エリア／チャネルリスト判定部１０３は、判定した現在のエリアをチャネルリスト設定部１０２へ通知するとともに、チャネルサーチの実施の中止をチャネルサーチ実施部１０１に指示する。
【００２６】
エリア／チャネルリスト記憶部１０４は、ワンセグ放送局と、ワンセグのチャネル情報と、ワンセグエリアと、デジタルラジオエリアとを対応付けたテーブルを保存する。また、エリア／チャネルリスト記憶部１０４は、デジタルラジオ放送局と、デジタルラジオのチャネル情報と、ワンセグエリアと、デジタルラジオエリアとを対応付けたテーブルを保存する。なお、テーブルについては、後述する。
【００２７】
アンテナ２０１は、ワンセグの放送波を受信して、受信信号をＲＦ部２０２へ出力する。
【００２８】
ＲＦ部２０２は、チャネルサーチ実施部１０１の指示に従ってチャネルサーチを実施する。その際、ＲＦ部２０２は、アンテナ２０１から入力した受信信号を周波数変換して復調部２０３へ出力する。
【００２９】
復調部２０３は、チャネルサーチ実施部１０１の指示に従ってチャネルサーチを実施する。その際、復調部２０３は、ＲＦ部２０２から入力した受信信号を直交復調して復号部２０４へ出力する。
【００３０】
復号部２０４は、復調部２０３から入力した復調後の受信信号を復号して、トランスポートストリームを再生する。そして、復号部２０４は、再生したトランスポートストリームのデータを受信状態判定部２０５及びチャネル情報検出部２０６へ出力する。
【００３１】
受信状態判定部２０５は、復号部２０４から入力した復号後のデータから受信品質を示す値を算出する。また、受信状態判定部２０５は、算出した受信品質を示す値が、所定時間継続して閾値以下の場合は、チャネルサーチ実施部１０１に対してチャネルサーチの実施の指示をする。
【００３２】
チャネル情報検出部２０６は、復号部２０４から入力した復号後のデータから、放送局を識別する放送局ＩＤ等のチャネル情報を検出する。そして、チャネル情報検出部２０６は、検出したチャネル情報をエリア／チャネルリスト判定部１０３へ出力する。
【００３３】
チャネルリスト記憶部２０７は、チャネルリスト設定部１０２から入力したチャネルリスト情報を記憶する。これにより、放送受信装置１００は、チャネルリスト記憶部２０７に記憶するチャネルリストのチャネルの番組を受信することができる。
【００３４】
アンテナ３０１は、デジタルラジオの放送波を受信して、受信信号をＲＦ部３０２へ出力する。
【００３５】
ＲＦ部３０２は、チャネルサーチ実施部１０１の指示に従ってチャネルサーチを実施する。その際、ＲＦ部３０２は、アンテナ３０１から入力した受信信号を周波数変換して復調部３０３へ出力する。
【００３６】
復調部３０３は、チャネルサーチ実施部１０１の指示に従ってチャネルサーチを実施する。その際、復調部３０３は、ＲＦ部３０２から入力した受信信号を直交復調して復号部３０４へ出力する。
【００３７】
復号部３０４は、復調部３０３から入力した復調後の受信信号を復号し、元のトランスポートストリームを再生する。そして、復号部３０４は、再生したトランスポートストリームのデータを受信状態判定部３０５及びチャネル情報検出部３０６へ出力する。
【００３８】
受信状態判定部３０５は、復号部３０４から入力した復号後のデータから受信品質を示す値を算出し、算出した受信品質を示す値が所定時間継続して閾値以下の場合はチャネルサーチ実施部１０１に対してチャネルサーチの実施の指示をする。
【００３９】
チャネル情報検出部３０６は、復号部３０４から入力した復号後のデータから、放送局ＩＤ等のチャネル情報を検出する。そして、チャネル情報検出部３０６は、検出したチャネル情報をエリア／チャネルリスト判定部１０３へ出力する。
【００４０】
チャネルリスト記憶部３０７は、チャネルリスト設定部１０２から入力したチャネルリスト情報を記憶する。これにより、放送受信装置１００は、チャネルリスト記憶部３０７に記憶するチャネルリストのチャネルの番組を受信することができる。
【００４１】
以上で、放送受信装置１００の構成の説明を終える。
【００４２】
次に、上記構成を有する放送受信装置１００の動作について、図２を用いて説明する。
【００４３】
図２は、放送受信装置１００において受信可能は放送サービスを示す図である。図２に示す放送サービスは、ワンセグとデジタルラジオの２つサービスを受けることが可能である。
【００４４】
ここで、デジタルラジオは地域に密着した放送サービスであり、ワンセグの放送エリアよりも狭いエリアになる。一方、ワンセグの放送エリアは、複数の県または地域を含むことが多いため、ワンセグエリアの中に複数のデジタルラジオの放送エリアが存在する。
【００４５】
また、デジタルラジオ放送サービスの周波数帯域は、ワンセグの放送帯域よりも大幅に狭いため、デジタルラジオのチャネル数、即ち放送局の数は、ワンセグの放送局の数よりも少ない。
【００４６】
図３は、エリア／チャネルリスト記憶部１０４に保存されるテーブル（エリア／チャネルリストデータ）の一例を示す図である。なお、図２と図３において、同一名称の放送局、同一符号のワンセグエリア、及び同一符号のデジタルラジオエリアは、それぞれ同じであることを示す。
【００４７】
図３に示すように、例えば、ＡＡＡ放送において、チャネル周波数はＵＨＦ２０ｃｈであり、ワンセグエリアはＡである。ここで、ワンセグエリアＡは、デジタルラジオエリアａとデジタルラジオエリアｂとを含んでいる。そこで、図３に示すように、エリア／チャネルリスト記憶部１０４は、ＡＡＡ放送の放送局情報と、チャネル情報と、ワンセグエリア情報とを対応付けることに加えて、デジタルラジオエリア情報ａ、ｂを対応付けたエリア／チャネルリストデータを保存する。
【００４８】
また、ａａａラジオにおいて、チャネル周波数はＶＨＦ１ｃｈであり、デジタルラジオエリアはａである。ここで、デジタルラジオエリアａは、ワンセグエリアＡに含まれているため、ａａａラジオの放送局情報と、チャネル情報と、デジタルラジオエリア情報とを対応付けることに加えて、ワンセグエリア情報Ａを対応付けたエリア／チャネルリストデータを保存する。
【００４９】
図３に示すようなエリア／チャネルリスト記憶部１０４に保存されているエリア／チャネルリストデータを用いることにより、例えばデジタルラジオのエリアがａであることが分かれば、ワンセグエリアはＡであり、放送局はＡＡＡ放送であることが同時に分かる。
【００５０】
次に、放送受信装置１００の動作について、図４を用いて説明する。図４は、放送受信装置１００の動作を示すフロー図である。
【００５１】
図４は、図２に示した放送サービスが提供される環境において、放送受信端末１００の移動により、ワンセグの受信エリアが切り替わった場合の放送受信端末１００の動作を示す。
【００５２】
まず、放送受信端末１００は、ワンセグエリアＡ（図２参照）において、ＡＡＡ放送を受信しているものとする。
【００５３】
この場合において、放送受信端末１００がワンセグエリアがＡからワンセグエリアＣに移動した際に、受信状態判定部２０５は、受信品質を判定し、受信品質の判定結果に基づいてワンセグの視聴が可能であるか否かを判定する（ステップＳＴ４０１）。具体的には、受信状態判定部２０５は、受信品質を示す値と閾値とを比較して、受信品質を示す値が閾値以上の場合にはワンセグの視聴が可能であると判定し、受信品質を示す値が閾値未満の場合にはワンセグの視聴が不可能であると判定する。
【００５４】
ワンセグの視聴が可能であると判定した場合には（ステップＳＴ４０１：Ｙｅｓ）、放送受信装置１００は、ステップＳＴ４０１の処理を繰り返す。
【００５５】
一方、ワンセグの視聴が可能でないと判定した場合には（ステップＳＴ４０１：Ｎｏ）、受信状態判定部２０５は、時間を計測し、計測する時間が所定時間経過したか否かを判定する（ステップＳＴ４０２）。
【００５６】
計測する時間が所定時間経過していない場合には（ステップＳＴ４０２：Ｎｏ）、放送受信装置１００は、ステップＳＴ４０１〜ステップＳＴ４０２の処理を繰り返す。
【００５７】
一方、計測する時間が所定時間経過した場合には（ステップＳＴ４０２：Ｙｅｓ）、チャネルサーチ実施部１０１は、ワンセグエリアが切り替わったと判断して、ＲＦ部３０２及び復調部３０３に対して、デジタルラジオのチャネルサーチを実施するように指示する。
【００５８】
そして、ＲＦ部３０２及び復調部３０３は、デジタルラジオのチャネルサーチを実施する（ステップＳＴ４０３）。
【００５９】
次に、復号部３０４は、受信信号を復号し、受信状態判定部３０５は、受信品質を判定し、受信品質の判定結果に基づいてデジタルラジオのチャネルを発見したか否かを判定する（ステップＳＴ４０４）。具体的には、受信状態判定部３０５は、受信品質を示す値と閾値とを比較して、受信品質を示す値が閾値以上の場合にはデジタルラジオのチャネルを発見したものと判定し、受信品質を示す値が閾値未満の場合にはデジタルラジオのチャネルを発見しないものと判定する。
【００６０】
デジタルラジオのチャネルを発見した場合には（ステップＳＴ４０４：Ｙｅｓ）、チャネルサーチ実施部１０１は、ＲＦ部３０２及び復調部３０３にチャネルサーチ実施の中断を指示する。また、エリア／チャネルリスト判定部１０３は、チャネル情報検出部３０６から取得したチャネル情報と、エリア／チャネルリスト記憶部１０４に保存されているリストとを参照する（ステップＳＴ４０５）。
【００６１】
例えば、放送受信装置１００がデジタルラジオエリアｄに居る場合、アンテナ３０１は、ｄｄｄラジオの放送波を受信する。そして、ＲＦ部３０２は、ｄｄｄラジオの受信信号を周波数変換する。また、復調部３０３は、ｄｄｄラジオの受信信号を直交復調する。また、復号部３０４は、ｄｄｄラジオのトランスポートストリームを再生する。
【００６２】
また、チャネル情報検出部３０６は、再生されたトランスポートストリームよりチャネル情報を検出して、ｄｄｄラジオの放送局情報及びＶＨＦ１ｃｈのチャネル情報を取得する。そして、チャネル情報検出部３０６は、取得した放送局情報及びチャネル情報をエリア／チャネルリスト判定部１０３へ出力する。
【００６３】
一方、デジタルラジオのチャネルを発見しない場合には（ステップＳＴ４０４：Ｎｏ）、受信状態判定部３０５は、ワンセグのチャネルサーチをチャネルサーチ実施部１０１に対して指示する。
【００６４】
そして、ＲＦ部２０２及び復調部２０３は、チャネルサーチ実施部１０１の指示に従って、ワンセグのチャネルサーチを実施する（ステップＳＴ４０６）。
【００６５】
次に、復号部２０４は、受信信号を復号し、受信状態判定部２０５は、受信品質を判定し、受信品質の判定結果に基づいてワンセグのチャネルを発見したか否かを判定する（ステップＳＴ４０７）。具体的には、受信状態判定部２０５は、受信品質を示す値と閾値とを比較して、受信品質を示す値が閾値以上の場合にはワンセグのチャネルを発見したものと判定し、受信品質を示す値が閾値未満の場合にはワンセグのチャネルを発見しないものと判定する。
【００６６】
そして、ワンセグのチャネルを発見しない場合には（ステップＳＴ４０７：Ｎｏ）、放送受信端末１００は、ステップＳＴ４０１に処理を戻す。
【００６７】
一方、ワンセグのチャネルを発見した場合には（ステップＳＴ４０７：Ｙｅｓ）、放送受信端末１００は、ステップＳＴ４０５に処理を進める。
【００６８】
エリア／チャネルリスト判定部１０３は、ステップＳＴ４０５において、チャネル情報と、エリア／チャネルリスト記憶部１０４に保存されているリストとを参照することにより、ワンセグエリアが有るか否かを判定する（ステップＳＴ４０８）。
【００６９】
例えば、エリア／チャネルリスト判定部１０３は、ステップＳＴ４０８の処理により、ｄｄｄラジオは、ワンセグエリアはＣであり、放送局はＣＣＣ放送であり、チャネルはＵＨＦ３０ｃｈであることが分かる。
【００７０】
ワンセグエリアが有ると判定した場合には（ステップＳＴ４０８：Ｙｅｓ）、エリア／チャネルリスト判定部１０３は、判定したワンセグエリアをチャネルリスト設定部１０２へ通知するとともに、チャネルサーチの実施の中止をチャネルサーチ実施部１０１に指示する。また、チャネルリスト設定部１０２は、エリア／チャネルリスト判定部１０３から通知されたワンセグエリアに対応するチャネルリストをチャネルリスト記憶部２０７に設定する。これにより、ワンセグのチャネルリストが変更され（ステップＳＴ４０９）、ワンセグ視聴の設定が完了する（ステップＳＴ４１０）。
【００７１】
例えば、エリア／チャネルリスト判定部１０３は、チャネルリスト設定部１０２にワンセグエリアＣであることを通知し、チャネルリスト設定部１０２は、チャネルリスト記憶部２０７にワンセグエリアＣのチャネルリストを設定する。これにより、放送受信端末１００におけるＣＣＣ放送の視聴が可能となる。また、ワンセグエリアＡのチャネルリストをワンセグエリアＣのチャネルリストに変更することが可能となる。
【００７２】
一方、ワンセグエリアが無いと判定した場合には（ステップＳＴ４０８：Ｎｏ）、エリア／チャネルリスト判定部１０３は、ワンセグエリアは切り替わってないものと判断する。その場合、エリア／チャネルリスト判定部１０３は、チャネルリスト設定部１０２に対して前回通知したワンセグエリアを再度通知するとともに、チャネルサーチの実施の中止をチャネルサーチ実施部１０１に指示する。また、チャネルリスト設定部１０２は、エリア／チャネルリスト判定部１０３から再度通知されたワンセグエリアに対応するチャネルリスト情報をチャネルリスト記憶部２０７に記憶させる。これにより、ワンセグのチャネルリストは変更されず（ステップＳＴ４１１）、ワンセグ視聴の設定が完了する（ステップＳＴ４１０）。
【００７３】
例えば、エリア／チャネルリスト判定部１０３は、ワンセグエリアＡであることをチャネルリスト設定部１０２に再度通知し、チャネルリスト設定部１０２は、チャネルリスト記憶部２０７にワンセグエリアＡのチャネルリスト情報を再度記憶させる。
【００７４】
このように、本実施の形態によれば、テレビ視聴中に複数の放送エリアを移動した場合、または設定されたチャネルリストのエリアと異なるエリアでテレビ視聴しようとした場合に、自動でチャネルリストを切り替えることができる。また、本実施の形態によれば、ワンセグよりもチャネル数が少ないデジタルラジオでチャネルサーチを実施するので、ワンセグでチャネルサーチを実施する場合よりも早くチャネルリストを切り替えることができる。また、本実施の形態によれば、ワンセグエリアは複数の県や地域にまたがるが、デジタルラジオエリアは１つの県もしくは１つの地域のみでのサービスとなる。この結果、ワンセグのチャネル情報を元にエリア／チャネルリスト記憶部１０４のデータを参照するよりも、デジタルラジオのチャネル情報をもとに参照したほうがエリアをより詳細に特定することができる。
【００７５】
（実施の形態２）
図５は、本発明の実施の形態２に係る放送受信装置の動作を示すフロー図である。
【００７６】
なお、本実施の形態における放送受信装置の構成は、図１と同一であるので、その説明を省略するとともに、図５の説明においては、図１の符号を用いる。また、本実施の形態において、図４と同一動作である部分には同一の符号を付してその説明を省略する。
【００７７】
ワンセグエリアは、複数の地域または複数の県にまたがる場合があるため、デジタルラジオエリアは、例えば２つのワンセグエリアに含まれる場合がある。この場合、上記の実施の形態１で説明したように、エリア／チャネルリスト判定部１０３は、チャネル情報検出部３０６により得られたチャネル情報と、エリア／チャネルリスト記憶部１０４に保存されたテーブルとを参照すると、ワンセグエリアが２つ存在する。この結果、ワンセグエリアを特定することができないので、チャネルリストを変更することができない。本実施の形態は、この点を改善したものである。
【００７８】
以下に、放送受信装置１００の動作について、主に上記の実施の形態１と異なる動作を中心に、詳細に説明する。
【００７９】
ワンセグエリアが有る場合には（ステップＳＴ４０８：Ｙｅｓ）、エリア／チャネルリスト判定部１０３は、ワンセグエリアが１つであるか否かを判定する（ステップＳＴ５０１）。
【００８０】
ワンセグエリアが１つである場合には（ステップＳＴ５０１：Ｙｅｓ）、エリア／チャネルリスト判定部１０３は、チャネルリスト設定部１０２に対して１つのワンセグエリアを通知する。
【００８１】
一方、ワンセグエリアが２以上有る場合には（ステップＳＴ５０１：Ｎｏ）、エリア／チャネルリスト判定部１０３は、２つのワンセグエリアの各々に対応するワンセグのチャネルをチャネルサーチ実施部１０１へ通知する。
【００８２】
また、チャネルサーチ実施部１０１は、エリア／チャネルリスト判定部１０３から通知された、周波数が異なる２つのチャネルのチャネルサーチをそれぞれ行う（ステップＳＴ５０２）。
【００８３】
次に、エリア／チャネルリスト判定部１０３は、チャネル情報検出部２０６においてチャネル情報を検出できたチャネルをチャネルリスト設定部１０２へ通知する。
【００８４】
また、エリア／チャネルリスト判定部１０３は、エリア／チャネルリスト記憶部１０４に保存されているテーブルを参照して、２つのワンセグエリアの中で、独立ＵＨＦ放送局を示すＩＤを有する放送局（以下「独立ＵＨＦ放送局」と記載する）が存在するか否かを判定してもよい。独立ＵＨＦ放送局が存在する場合、エリア／チャネルリスト判定部１０３は、独立ＵＨＦ放送局をチャネルサーチ実施部１０１に通知する。また、チャネルサーチ実施部１０１は、エリア／チャネルリスト判定部１０３から通知された独立ＵＨＦ放送局のチャネルを、優先的にチャネルサーチする。そして、エリア／チャネルリスト判定部１０３は、チャネル情報検出部２０６においてチャネル情報を検出できたチャネルのワンセグエリアをチャネルリスト設定部１０２へ通知する。
【００８５】
ここで、放送局が独立ＵＨＦ放送局であるか否かは、エリア／チャネルリスト記憶部１０４に記憶されているチャネルリストに記載されている。図６は、本実施の形態におけるエリア／チャネルリスト記憶部１０４に保存されているチャネルリストの一例を示す図である。図６では、ワンセグエリアＣのチャネルリストを示している。図６の場合、ＧＨＩ放送の放送局が、独立ＵＨＦ放送局を示すＩＤを有する放送局であるので、独立ＵＨＦ放送局である。これにより、エリア／チャネル判定部１０３は、独立ＵＨＦ放送局であるか否かを判断することができる。
【００８６】
このように、本実施の形態によれば、上記の実施の形態１の効果に加えて、複数のワンセグエリアを検出した場合でも、ワンセグエリアを特定することができ、ワンセグのチャネルリストを変更することができる。
【００８７】
（実施の形態３）
図７は、本発明の実施の形態３に係る放送受信装置の動作を示すフロー図である。
【００８８】
なお、本実施の形態における放送受信装置の構成は、図１と同一であるので、その説明を省略するとともに、図７の説明においては、図１の符号を用いる。また、本実施の形態において、図４及び図５と同一動作である部分には同一の符号を付してその説明を省略する。
【００８９】
本実施の形態では、ワンセグのチャネルリストの設定と同時に、デジタルラジオのチャネルリストを設定することができる。
【００９０】
上記の実施の形態１及び実施の形態２では、エリア／チャネルリスト判定部１０３は、チャネル情報検出部３０６から得られたチャネル情報と、エリア／チャネルリスト記憶部１０４に記憶されているテーブルとを参照し、ワンセグのエリアを判定する。
【００９１】
ここで、図３に示すように、エリア／チャネルリスト記憶部１０４に記憶されているテーブルには、デジタルラジオのエリア情報も放送局情報と対応付けられて登録されており、デジタルラジオのエリア判定も可能である。
【００９２】
以下に、放送受信装置１００の動作について、主に上記の実施の形態１及び実施の形態２と異なる動作を中心に、詳細に説明する。
【００９３】
エリア／チャネルリスト判定部１０３は、ステップＳＴ４０５において、チャネル情報と、エリア／チャネルリスト記憶部１０４に保存されているテーブルとを参照した結果、デジタルラジオエリアが有るか否かを判定する（ステップＳＴ７０１）。
【００９４】
デジタルラジオエリアが無い場合には（ステップＳＴ７０１：Ｎｏ）、エリア／チャネルリスト判定部１０３は、デジタルラジオエリアは切り替わってないものと判断する。その場合、エリア／チャネルリスト判定部１０３は、チャネルリスト設定部１０２に対して前回通知したデジタルラジオエリアを再度通知する。また、チャネルリスト設定部１０２は、エリア／チャネルリスト判定部１０３から再度通知されたデジタルラジオエリアのチャネルリスト情報をチャネルリスト記憶部３０７に記憶させる。これにより、デジタルラジオのチャネルリストは変更されない（ステップＳＴ７０２）。
【００９５】
一方、デジタルラジオエリアが有る場合には（ステップＳＴ７０１：Ｙｅｓ）、エリア／チャネルリスト判定部１０３は、デジタルラジオエリアが１つであるか否かを判定する（ステップＳＴ７０３）。
【００９６】
デジタルラジオエリアが１つである場合には（ステップＳＴ７０３：Ｙｅｓ）、エリア／チャネルリスト判定部１０３は、チャネルリスト設定部１０２に対して１つのデジタルラジオエリアを通知する。また、チャネルリスト設定部１０２は、エリア／チャネルリスト判定部１０３から通知されたデジタルラジオエリアのチャネルリスト情報をチャネルリスト記憶部３０７に記憶させる。これにより、デジタルラジオのチャネルリストが変更される（ステップＳＴ７０４）。
【００９７】
即ち、エリア／チャネルリスト判定部１０３は、チャネルリスト設定部１０２にワンセグエリアとデジタルラジオエリアの両方を通知する。そして、チャネルリスト設定部１０２は、チャネルリスト記憶部２０７にワンセグエリアのチャネルリスト情報を設定し、チャネルリスト記憶部３０７にデジタルラジオエリアのチャネルリスト情報を設定する。
【００９８】
一方、デジタルラジオエリアが２以上有る場合には（ステップＳＴ７０３：Ｎｏ）、エリア／チャネルリスト判定部１０３は、２つのデジタルラジオエリアの各々に対応するデジタルラジオのチャネルをチャネルサーチ実施部１０１へ通知する。
【００９９】
また、チャネルサーチ実施部１０１は、エリア／チャネルリスト判定部１０３から通知された、周波数が異なる２つのチャネルのチャネルサーチをそれぞれ行う（ステップＳＴ７０５）。
【０１００】
次に、エリア／チャネルリスト判定部１０３は、チャネル情報検出部３０６においてチャネル情報を検出できたチャネルのデジタルラジオエリアをチャネルリスト設定部１０２へ通知する。また、チャネルリスト設定部１０２は、エリア／チャネルリスト判定部１０３から通知されたデジタルラジオエリアのチャネルリスト情報をチャネルリスト記憶部３０７に記憶させる。これにより、デジタルラジオのチャネルリストが変更される（ステップＳＴ７０４）。
【０１０１】
また、エリア／チャネルリスト判定部１０３は、エリア／チャネルリスト記憶部１０４に保存されているテーブルを参照して、２つのデジタルラジオエリア候補の中で、独立放送局を示すＩＤを有する放送局（以下「独立放送局」と記載する）が存在するか否かを判定してもよい。独立放送局が存在する場合、エリア／チャネルリスト判定部１０３は、独立放送局をチャネルサーチ実施部１０１に通知する。また、チャネルサーチ実施部１０１は、エリア／チャネルリスト判定部１０３から通知された独立放送局のチャネルを、優先的にチャネルサーチする。そして、エリア／チャネルリスト判定部１０３は、チャネル情報検出部２０６においてチャネル情報を検出できたチャネルのデジタルラジオエリアを、チャネルリスト設定部１０２へ通知する。なお、本実施の形態において、放送局が独立放送局であるか否かは、図６と同様に、エリア／チャネルリスト記憶部１０４に保存されているチャネルリストに記載されている。
【０１０２】
このように、本実施の形態によれば、上記の実施の形態１及び実施の形態２の効果に加えて、デジタルラジオエリアのチャネルリストを切り替えることができる。また、本実施の形態によれば、デジタルラジオエリアが複数存在する場合でも、デジタルラジオエリアを特定することができ、デジタルラジオのチャネルリストを変更することができる。
【産業上の利用可能性】
【０１０３】
本発明に係る放送受信装置及び放送受信方法は、特にチャネルリストを自動で変更するのに好適である。
【符号の説明】
【０１０４】
１００  放送受信装置
１０１  チャネルサーチ実施部
１０２  チャネルリスト設定部
１０３  エリア／チャネルリスト判定部
１０４  エリア／チャネルリスト記憶部
２００、３００  受信装置
２０１、３０１  アンテナ部
２０２、３０２  ＲＦ部
２０３、３０３  復調部
２０４、３０４  復号部
２０５、３０５  受信状態判定部
２０６、３０６  チャネル情報検出部
２０７、３０７  チャネルリスト記憶部
【図１】
2011176437.tif 000003
【図２】
2011176437.tif 000004
【図３】
2011176437.tif 000005
【図４】
2011176437.tif 000006
【図５】
2011176437.tif 000007
【図６】
2011176437.tif 000008
【図７】
2011176437.tif 000009